(57)【要約】【課題】電力を消費せずにファンを回転させ、ＬＥＤ及びＬＥＤが実装された基板の冷却を行うことができるようにした照明装置を提供する。【解決手段】ＬＥＤ８を実装した基板７が取り付けられた基板取付板４には放熱体２が固定されている。放熱体２の内部空間１１内には、その内部空間１１内の温度変化に応じて作動する感温作動機構部３２と、この感温作動機構部３２によって作動させられるファン駆動機構部３３と、このファン駆動機構部３３によって回転駆動されるファン３４とが収容されている。ファン３４がファン駆動機構部３３によって回転駆動されることによって生じた空気流でＬＥＤ８を実装した基板７及びＬＥＤ８を冷却することができる。そのため、ファン３４を回転させるためのモータが不要となり、モータを回転するための電力が消費されず、省電力化を図ることができる。【選択図】図１
2012155920.tif 000002
【特許請求の範囲】
【請求項１】
ＬＥＤを実装した基板が取り付けられた基板取付板と、
前記ＬＥＤの点灯で生じた熱が前記基板取付板を介して伝熱されるように、前記基板取
付板に固定された放熱体と、
前記放熱体の内部空間に収容され、前記放熱体の内部空間内に外部の空気を吸入し、前
記放熱体の内部空間内の空気を前記放熱体の外部に排出して、前記放熱体の内部空間内に
空気流を生じさせ、前記基板取付板及び前記放熱体からの放熱を促進し、前記ＬＥＤを実
装した基板及び前記ＬＥＤを冷却する放熱促進手段と、
前記ＬＥＤを実装した基板を覆うように前記基板取付板に取り付けられ、前記ＬＥＤか
らの出射光を透過するグローブと、
を備えた照明装置であって、
（１）．前記放熱促進手段は、
前記放熱体の内部空間内の温度変化に応じて作動する感温作動機構部と、この感温作動
機構部によって作動させられるファン駆動機構部と、このファン駆動機構部によって回転
させられるファンと、を備え、
（１）−１．前記感温作動機構部は、
形状記憶合金ばねとバイアスばねとで作動板を挟持するように構成され、前記放熱体の
内部空間内の温度が前記ＬＥＤの点灯前よりも上昇し、前記形状記憶合金ばねの温度が前
記ＬＥＤの点灯前よりも上昇すると、前記形状記憶合金ばねが前記バイアスばねを押し縮
めて伸張し、前記作動板が前記形状記憶合金ばねと前記バイアスばねに挟持された状態で
前記放熱体の内部空間内に設置されたガイドロッドに沿ってスライド移動するようになっ
ており、
（１）−２．前記ファン駆動機構部は、
前記作動板に駆動用ばねを介して接続され且つ前記ガイドロッドに沿ってスライドでき
るようになっているスライドプレートと、前記スライドプレートのナット部の螺旋状溝に
螺合する螺旋状突起が形成され且つ前記ファンが取り付けられた回転軸と、前記スライド
プレートを前記回転軸の端部側の退避位置に保持するマグネットと、を有し
前記形状記憶合金ばねの伸張方向への変位に伴って前記作動板がスライド移動し、前記
マグネットで前記退避位置に保持されている前記スライドプレートを前記作動板が前記駆
動用ばねを介して引っ張り、前記スライドプレートを引っ張る前記駆動用ばねのばね力が
前記マグネットの磁力よりも大きくなると、前記スライドプレートが前記駆動用ばねのば
ね力で引っ張られて前記退避位置から前記ガイドロッドに沿って一気にスライド移動し、
前記スライドプレートの前記ナット部で前記回転軸を回転させ、前記回転軸に取り付けら
れた前記ファンが前記回転軸とともに回転するようになっている、
ことを特徴とする照明装置。
【請求項２】
前記ファンが前記回転軸にワンウェイクラッチを介して取り付けられ、前記形状記憶合
金ばねの伸張方向への変位に伴って前記回転軸が回転させられている場合には前記ファン
が前記回転軸と一体に回転し、この回転していた前記回転軸が停止した場合には前記ファ
ンが慣性の法則に従って回転し続けるようになっている、
ことを特徴とする請求項１に記載の照明装置。
【発明の詳細な説明】
【技術分野】
【０００１】
この発明は、発光素子としてのＬＥＤを使用した照明装置（例えば、ＬＥＤ電球）に関
するものである。
【背景技術】
【０００２】
近年、白熱電球と比較して、消費電力が少なく且つ長寿命のＬＥＤ電球は、一般家庭に
おいても白熱電球に換えて使用されるようになっている。
【０００３】
このようなＬＥＤ電球は、ＬＥＤから発生する熱でＬＥＤやＬＥＤが実装された回路基
板が温度上昇し、ＬＥＤの発光光量が低下したり、ＬＥＤの寿命が低下するのを防止する
ため、モータでファンを回転させ、回転するファンによって生じた空気流でＬＥＤが実装
された基板及びＬＥＤを冷却するようにしたものがある（特許文献１〜３参照）。
【先行技術文献】
【特許文献】
【０００４】
【特許文献１】特開２０１０−８６７０８号公報
【特許文献２】特開２０１０−８６７０９号公報
【特許文献３】特開２０１０−１５７５０６号公報
【発明の概要】
【発明が解決しようとする課題】
【０００５】
しかしながら、ファンをモータで回転させる従来のＬＥＤ電球は、ＬＥＤ及びＬＥＤが
実装された基板の放熱機構（ファン及びモータ）を有しないＬＥＤ電球に比較し、モータ
を回転させるための電力分だけ消費電力が増加してしまうという新たな問題を生じる。
【０００６】
そこで、本発明は、電力を消費せずにファンを回転させ、ＬＥＤ及びＬＥＤが実装され
た基板の冷却を行うことができるようにした照明装置の提供を目的とする。
【課題を解決するための手段】
【０００７】
本発明に係る照明装置は、図１乃至図３に示すように、
・ＬＥＤ８を実装した基板７が取り付けられた基板取付板４と、
・前記ＬＥＤ８の点灯で生じた熱が前記基板取付板４を介して伝熱されるように、前記
基板取付板４に固定された放熱体２と、
・前記放熱体２の内部空間１１に収容され、前記放熱体２の内部空間１１内に外部の空
気を吸入し、前記放熱体２の内部空間１１内の空気を前記放熱体２の外部に排出して、前
記放熱体２の内部空間１１内に空気流を生じさせ、前記基板取付板４及び前記放熱体２か
らの放熱を促進し、前記ＬＥＤ８を実装した基板７及び前記ＬＥＤ８を冷却する放熱促進
手段１２と、
・前記ＬＥＤ８を実装した基板７を覆うように前記基板取付板４に取り付けられ、前記
ＬＥＤ８からの出射光を透過するグローブ１０と、を備えている。
【０００８】
そして、この発明の照明装置１において、
（１）．前記放熱促進手段１２は、
前記放熱体２の内部空間１１内の温度変化に応じて作動する感温作動機構部３２と、こ
の感温作動機構部３２によって作動させられるファン駆動機構部３３と、このファン駆動
機構部３３によって回転させられるファン３４と、を備えている。
【０００９】
（１）−１．前記感温作動機構部３２は、
形状記憶合金ばね３５とバイアスばね３６とで作動板３７を挟持するように構成され、
前記放熱体２の内部空間１１内の温度が前記ＬＥＤ８の点灯前よりも上昇し、前記形状記
憶合金ばね３５の温度が前記ＬＥＤ８の点灯前よりも上昇すると、前記形状記憶合金ばね
３５が前記バイアスばね３６を押し縮めて伸張し、前記作動板３７が前記形状記憶合金ば
ね３５とバイアスばね３６に挟持された状態で前記放熱体２の内部空間１１内に設置され
たガイドロッド３８に沿ってスライド移動するようになっている。
【００１０】
（１）−２．前記ファン駆動機構部３３は、
前記作動板３７に駆動用ばね４３を介して接続され且つ前記ガイドロッド３８に沿って
スライドできるようになっているスライドプレート４４と、前記スライドプレート４４の
ナット部４６の螺旋状溝に螺合する螺旋状突起が形成され且つ前記ファン３４が取り付け
られた回転軸２１と、前記スライドプレート４４を前記回転軸２１の端部側の退避位置に
保持するマグネット４５と、を有し
前記形状記憶合金ばね３５の伸張方向への変位に伴って前記作動板３７がスライド移動
し、前記マグネット４５で前記退避位置に保持されている前記スライドプレート４４を前
記作動板３７が前記駆動用ばね４３を介して引っ張り、前記スライドプレート４４を引っ
張る前記駆動用ばね４３のばね力が前記マグネット４５の磁力よりも大きくなると、前記
スライドプレート４４が前記駆動用ばね４３のばね力で引っ張られて前記退避位置から前
記ガイドロッド３８に沿って一気にスライド移動し、前記スライドプレート４４の前記ナ
ット部４６で前記回転軸２１を回転させ、前記回転軸２１に取り付けられた前記ファン３
４が前記回転軸２１とともに回転するようになっている。
【００１１】
また、本発明に係る照明装置１は、図４に示すように、前記ファン３４が前記回転軸２
１にワンウェイクラッチ５０を介して取り付けられ、前記形状記憶合金ばね３５の伸張方
向への変位に伴って前記回転軸２１が回転させられている場合には前記ファン３４が前記
回転軸２１と一体に回転し、この回転していた前記回転軸２１が停止した場合には前記フ
ァン３４が慣性の法則に従って回転し続けるようになっている。
【発明の効果】
【００１２】
本発明の照明装置は、放熱体の内部空間内の温度変化に応じて作動する感温作動機構部
でファン駆動機構部を作動させ、ファン駆動機構部でファンを回転駆動して、ファンが回
転することによって生じた空気流でＬＥＤを実装した基板及びＬＥＤを冷却することがで
きるため、ファンを回転させるためのモータが不要となり、モータを回転するための電力
が消費されず、省エネルギー化を図ることができる。
【００１３】
また、本発明の照明装置は、ファンを回転させるためにモータが使用されないため、モ
ータの作動音に起因する騒音が生じない。
【図面の簡単な説明】
【００１４】
【図１】本発明の第１実施形態に係る照明装置の縦断面図であり、照明装置の放熱促進手段の作動前状態を示す図である。
【図２】本発明の第１実施形態に係る照明装置の縦断面図であり、照明装置の放熱促進手段の作動時における第１状態を示す図である。
【図３】本発明の第１実施形態に係る照明装置の縦断面図であり、照明装置の放熱促進手段の作動時における第２状態を示す図である。
【図４】本発明の第２実施形態に係る照明装置の縦断面図であり、照明装置の放熱促進手段の作動前状態を示す図である。
【発明を実施するための形態】
【００１５】
以下、本発明の実施の形態を図面に基づき詳述する。
【００１６】
［第１実施形態］
（照明装置の構造）
図１は、本発明の第１実施形態に係る照明装置１の縦断面図である。この図１に示す照
明装置１は、アルミニウム、アルミニウム合金等の熱伝導性の良い金属や熱伝導性樹脂で
形成された略筒状の放熱体２と、放熱体２の一端側開口端３に固定された基板取付板４と
、放熱体２の他端側開口端５に固定されたケース６と、基板取付板４の外表面４ａに取り
付けられた基板７と、この基板７の外表面７ａに実装されたＬＥＤ（発光素子）８と、基
板７及びＬＥＤ８を覆うように基板取付板４に固定されたグローブ１０と、放熱体２の内
部空間１１内に収容された放熱促進手段１２と、を備えている。
【００１７】
放熱体２は、円筒部１３と、この円筒部１３の一端側開口端３から他端側開口端５へ向
かって延びるフィン１４，１５とで構成されている。フィン１４，１５は、円筒部１３の
内周面１３ａ及び外周面１３ｂの周方向に沿って等間隔に複数形成されている。そして、
隣り合うフィン１４，１４（１５，１５）間の円筒部１３の一端側には、円筒部１３の内
外を連通する第１の通気口１６が円筒部１３の周方向に沿って複数形成されている。また
、隣り合うフィン１４，１４（１５，１５）間の円筒部１３の他端側には、円筒部１３の
内外を連通する第２の通気口１７が円筒部１３の周方向に沿って複数形成されている。
【００１８】
基板取付板４は、放熱体２の一端側の外径寸法と同一の外径寸法となるように円板状に
形成されており、全体が放熱体２と同一の材料で形成されている。この基板取付板４は、
裏面（内表面）４ｂ側に形成した位置決め突起１８を放熱体２の一端側の径方向外方端に
形成された位置決め段部２０に係合させることにより、その中心を放熱体２の円筒部１３
の中心に位置決めして、放熱体２に接着剤又はねじ等によって固定されるようになってい
る。また、基板取付板４は、その裏面４ｂ側で且つその中心位置に、回転軸２１の一端側
を回転可能に支持する第１軸受２２が取り付けられている。また、この基板取付板４の外
表面（図１の上面）４ａには、ＬＥＤ８を単数又は複数実装した基板７が取り付けられて
いる。また、基板取付板４の外表面４ａの外周端寄りの位置には、グローブ１０の開口端
の内周面に係合するグローブ係合突起２３がリング状に形成されている。なお、基板７に
は、図示しないリード線とＬＥＤ８とを電気的に接続する導電パターン（図示せず）が形
成されている。
【００１９】
グローブ１０は、ＬＥＤ８から出射した光を透過させることができるプラスチック又は
ガラス等の材料で半球状に形成されており、その開口端が基板取付板４のグローブ係合突
起２３に係合され、基板取付板４に接着剤等で固定される。なお、グローブ１０は、ＬＥ
Ｄ８からの光が拡散された状態で出射されるようになっていることが好ましい。
【００２０】
ケース６は、外観形状が略テーパ形状となるように、絶縁性のプラスチックで形成され
ている。そして、ケース６の一端側（大径側）に略円板形状の放熱体取付部２４が形成さ
れ、ケース６の他端側（小径側）に口金２５が固定されている。このケース６の放熱体取
付部２４は、放熱体２の他端側開口端５に固定され、放熱体２の他端側開口端５を塞ぐよ
うになっている。また、このケース６の放熱体取付部２４は、放熱体２の他端側開口端５
に係合される係合段部２６が形成されている。この係合段部２６は、放熱体２の円筒部１
３の内周側に嵌め込まれる凸状部分２６ａと、この凸状部分２６ａの外周側に位置して放
熱体２の円筒部１３の端面に当接する放熱体支持部分２６ｂと、を有している。ここで、
凸状部分２６ａは、ケース６の放熱体取付部２４の中心と放熱体２の円筒部１３の中心と
を位置合わせすることができるようになっている。また、放熱体取付部２６は、その中心
部で且つ放熱体２の内部空間１１に面する位置に、回転軸２１の他端側を回転可能に支持
する第２軸受２７が取り付けられている。なお、口金２５は、図示しないランプソケット
にねじ込まれるねじ山が外周面に形成されている。
【００２１】
ケース６の内部にはＬＥＤ８の点灯回路（図示せず）が収容されており、その点灯回路
と口金２５とが図示しないリード線によって電気的に接続されている。また、点灯回路は
、ケース６の放熱体取付部２４の中心を貫通する穴２８、回転軸２１の軸芯に沿った穴３
０、及び基板取付板４の中心を貫通する穴３１に挿入した図示しないリード線によって基
板７の導電パターンに電気的に接続され、基板７に実装されたＬＥＤ８を点灯制御できる
ようになっている。
【００２２】
放熱促進手段１２は、放熱体２の内部空間１１内の温度変化に応じて作動する感温作動
機構部３２と、この感温作動機構部３２によって作動させられてファンを回転駆動するフ
ァン駆動機構部３３と、このファン駆動機構部３３によって回転させられるファン３４と
、を備えている。
【００２３】
感温作動機構部３２は、形状記憶合金ばね３５とバイアスばね３６とで作動板３７を挟
持するバイアス式二方向素子であり、放熱体２の内部空間１１内に収容されている。この
感温作動機構部３２は、基板取付板４と作動板３７との間に形状記憶合金ばね３５（例え
ば、Ｎｉ−Ｔｉばね）を配置し、基板取付板４に複数のガイドロッド３８を介して固定さ
れたばね支持板４０と作動板３７との間にバイアスばね３６を配置して、作動板３７がガ
イドロッド３８に案内されてスライド移動できるようになっている。そして、この感温作
動機構部３２の作動板３７とばね支持板４０の中央部には、回転軸２１との間に十分な隙
間が生じるように通気穴４１，４２がそれぞれ形成されている。また、感温作動機構部３
２の作動板３７は、その外周面が放熱体２よりも小径に形成されており、外周面と放熱体
２のフィン１４との間に隙間が生じるようになっている。このような感温作動機構部３２
は、放熱体２の内部空間１１内の温度が昇温すると、形状記憶合金ばね３５がバイアスば
ね３６のばね力に抗して伸び（ばね長さを長くし）、この形状記憶合金ばね３５が伸びた
状態で放熱体２の内部空間１１内の温度が降温すると、形状記憶合金ばね３５がバイアス
ばね３６のばね力に押し縮められるようになっており、このような形状記憶合金ばね３５
とバイアスばね３６の変位に伴って作動板３７が移動するようになっている。なお、形状
記憶合金ばね３５とバイアスばね３６は、回転軸２１の周りに複数（少なくとも一対）配
置されている。
【００２４】
ファン駆動機構部３３は、基板取付板４と作動板３７との間で且つ形状記憶合金ばね３
５よりも径方向内方側の部分に配置されており、作動板３７に駆動用ばね４３で繋がれた
スライドプレート４４と、駆動用ばね４３に生じる引っ張り力が所定値（マグネット４５
の磁力よりも大きな力）に到達するまでスライドプレート４４を基板取付板４側の退避位
置に保持するマグネット４５と、スライドプレート４４の移動に伴って回転させられる回
転軸２１と、を備えている。
【００２５】
このファン駆動機構部３３において、スライドプレート４４は、外周端側がガイドロッ
ド３８にスライド可能に係合され、中心部分のナット部４６が回転軸２１に嵌合され、作
動板３７に一端が固定された駆動用ばね４３の他端が固定されている。このスライドプレ
ート４４のナット部４６は、回転軸２１の螺旋状突起（図示せず）に螺合される螺旋状溝
（図示せず）が形成されており、ガイドロッド３８に案内されてスライド移動すると、回
転軸２１を回転させるようになっている。なお、駆動用ばね４３は、回転軸２１の周りに
複数（少なくとも一対）配置されている。
【００２６】
マグネット４５は、基板取付板４とスライドプレート４４との間に少なくとも一対配置
されている。このマグネット４５は、基板取付板４の裏面４ｂに固定された第１のマグネ
ット片４５ａと、スライドプレート４４の基板取付板４に対向する面に固定された第２の
マグネット片４５ｂとからなっている。そして、マグネット４５は、第１のマグネット片
４５ａと第２のマグネット片４５ｂの引き合う力（磁力）によって、スライドプレート４
４を図１の退避位置に保持している。
【００２７】
回転軸２１は、一端側が基板取付板４に取り付けられた第１軸受２２に回転可能に支持
され、他端側がケース６の放熱体取付部２４に取り付けられた第２軸受２７に回転可能に
支持されている。また、この回転軸２１は、第２軸受２７の近傍位置にファン３４が固定
されており、このファン３４と第１軸受２２との間の外表面に螺旋状突起（図示せず）が
形成され、その螺旋状突起がナット部４６の螺旋状溝（図示せず）に螺合するようになっ
ている。なお、この回転軸２１は中空軸である。そして、この回転軸２１の中心部の穴３
０内には、ケース６内の点灯回路（図示せず）と基板７とを接続するリード線（図示せず
）が収容されている。
【００２８】
ファン３４は、ボス部４７の周囲に複数の羽根４８が放射状に形成されており、回転軸
２１と一体になって回転し、径方向内方から径方向外方へ向かう空気流を生じさせる遠心
ファンとして機能する。このファン３４は、鉄に比較して軽量であるプラスチック又はア
ルミニウム等の材料で形成されている。
【００２９】
（放熱促進手段の作動）
次に、図１乃至図３に基づいて放熱促進手段１２の作動を説明する。図１は、ＬＥＤ８
の点灯前の状態を示しており、ＬＥＤ８及び基板７を含む照明装置１の全体が常温（本実
施形態では２５℃）の場合を示している。この図１に示すように、作動板３７は、ＬＥＤ
８の点灯前において、形状記憶合金ばね３５とバイアスばね３６のばね力が釣り合い、退
避位置に位置している。また、図１に示すように、スライドプレート４４は、マグネット
４５で基板取付板４に保持されている。
【００３０】
ＬＥＤ８が点灯されると、ＬＥＤ８が発熱し、ＬＥＤ８の熱が基板７，基板取付板４を
介して放熱体２及び形状記憶合金ばね３５に伝導される。放熱体２に伝導された熱は、フ
ィン１４，１５を介して大気中に放熱されると共に、放熱体２の内部空間１１内に放熱さ
れる。その結果、形状記憶合金ばね３５は、放熱体２の内部空間１１内の空気の熱が伝達
されると共に、基板取付板４から熱伝導されて温度上昇する。形状記憶合金ばね３５が温
度上昇すると、形状記憶合金ばね３５がバイアスばね３６を押し縮めて伸張し、作動板３
７が形状記憶合金ばね３５の伸張変位に伴って移動する。そして、作動板３７が形状記憶
合金ばね３５の伸張方向へスライド移動すると、駆動用ばね４３がガイドロッド３８に沿
ってスライド移動する作動板３７によって引っ張られる。この際、駆動用ばね４３に生じ
るばね力（スライドプレート４４を引っ張る力）がスライドプレート４４を退避位置に保
持するマグネット４５の磁力よりも小さい場合には、駆動用ばね４３が伸張するだけで、
スライドプレート４４が退避位置に保持されて移動せず、回転軸２１及びファン３４が回
転しない（図２参照）。
【００３１】
形状記憶合金ばね３５が更に温度上昇し、形状記憶合金ばね３５が更に伸張方向へ変位
し、作動板３７が形状記憶合金ばね３５の伸張方向への変位に伴って更に移動して、駆動
用ばね４３に生じるばね力がマグネット４５の磁力よりも大きくなると、スライドプレー
ト４４を退避位置に保持する第１のマグネット片４５ａと第２のマグネット片４５ｂとが
離間し、スライドプレート４４が駆動用ばね４３のばね力で一気に引っ張られ、スライド
プレート４４がガイドロッド３８に沿って勢いよく（駆動用ばね４３で引っ張られなくな
る位置まで瞬時に）スライド移動する（図２乃至図３参照）。その結果、回転軸２１がス
ライド移動するスライドプレート４４のナット部４６で勢いよく（高速で）回転させられ
、ファン３４が勢いよく回転する。
【００３２】
ファン３４が回転すると、放熱体２の第１の通気口１６から外気が放熱体２の内部空間
１１内に吸い込まれ、放熱体２の内部空間１１内の空気が放熱体２の第２の通気口１７か
ら外部の大気中に放出される。このファン３４の回転に伴う放熱体２内への吸気と放熱体
２内からの排気によって、第１の通気口１６から作動板３７の通気穴４１を経てばね支持
板４０の通気穴４２を通過する空気流と、第１の通気口１６から作動板３７の外周側の隙
間を経てばね支持板４０の通気穴４２を通過する空気流とが生じる。そして、放熱体２の
内部空間１１内の熱が放熱体２の外部に強制的に排出され、放熱体２の内部空間１１が新
たに取り入れられる外気によって冷却される。また、基板取付板４の熱は、放熱体２の内
部空間１１を流動する空気流に奪われる。また、ファン３４の回転によって生じた空気流
に放熱体２のフィン１４，１５が接触し、放熱体２のフィン１４，１５からの放熱が促進
され、放熱体２が効率的に冷却される。その結果、基板取付板４，基板７及びＬＥＤ８が
効率的に冷却される（図３参照）。
【００３３】
形状記憶合金ばね３５の温度が常温に低下すると、形状記憶合金ばね３５がバイアスば
ね３６のばね力で押し縮められ、作動板３７及びスライドプレート４４が図３の作動位置
から図１の退避位置に戻り、スライドプレート４４がマグネット４５の磁力で基板取付板
４に保持される。この図３の作動位置から図１の退避位置へスライドプレート４４が移動
する際に、回転軸２１がスライドプレート４４のナット部４６で緩やかに（低速で）回転
させられる。
【００３４】
（本実施形態の効果）
本実施形態の照明装置１は、放熱体２の内部空間１１内の温度変化に応じて作動する感
温作動機構部３２でファン駆動機構部３３を作動させ、ファン駆動機構部３３でファン３
４を回転駆動して、ファン３４が回転することによって生じた空気流でＬＥＤ８が実装さ
れた基板７及びＬＥＤ８を冷却することができるため、ファン３４を回転させるためのモ
ータが不要となり、モータを回転させるための電力が消費されず、省エネルギー化を図る
ことができる。
【００３５】
また、本実施形態に係る照明装置１は、ファン３４を回転させるためにモータが使用さ
れないため、モータの作動音に起因する騒音が生じない。
【００３６】
［第２実施形態］
図４は、本発明の第２実施形態に係る照明装置１の縦断面図である。
【００３７】
本実施形態に係る照明装置１は、ファン３４が回転軸２１にワンウェイクラッチ５０を
介して取り付けられている点を除き、他の構成が第１実施形態の照明装置１と同様である
。  このような構成の本実施形態に係る照明装置１は、スライドプレート４４が退避位置
から作動位置（図３に示すスライドプレート４４の位置）まで移動する際に、回転軸２１
がスライドプレート４４のナット部４６によって回転させられると、回転軸２１とファン
３４とがワンウェイクラッチ５０を介して一体回動し、回転軸２１が停止すると、ワンウ
ェイクラッチ５０が滑りを生じ、ファン３４が慣性の法則に従って回転し続ける。その結
果、本実施形態に係る照明装置１は、第１実施形態に係る照明装置１に比較し、ファン３
４の回転数を多くすることができ、ＬＥＤ８が実装された基板７及びＬＥＤ８をより一層
効果的に冷却することが可能になる。なお、ワンウェイクラッチ５０は、オリジン電気株
式会社製の呼び番号がＯＷＣ４−９−６−ＩＮ等が使用される。
【００３８】
［その他の変形例］
上記の各実施形態に係る照明装置１は、放熱体２の一端側の外径寸法と他端側の外径寸
法が同一寸法になっている。しかしながら、本発明に係る照明装置１は、これに限られず
、放熱体２の一端側の外径寸法を他端側の外径寸法よりも大きくし、グローブ１０を大き
くすると共に、基板７上に実装するＬＥＤ８の数を増やし、グローブ１０を透過する光量
をより多くして、より明るく照明するようにしてもよい。
【００３９】
上記の各実施形態に係る照明装置１において、基板取付板４は、放熱体２と一体に形成
し、放熱体２の一部を構成するようにしてもよい。
【００４０】
上記の各実施形態に係る照明装置１において、フィン１４，１５は、円筒部１３の一端
側から他端側へ向かって螺旋状に形成し、放熱面積を大きくすると共に、放熱体２の内部
空間１１内に螺旋状の空気流を生じさせ、放熱効率を向上させるようにしてもよい。
【符号の説明】
【００４１】
１……照明装置、２……放熱体、４……基板取付板、７……基板、８……ＬＥＤ、１１
……内部空間、１２……放熱促進手段、２１……回転軸、３２……感温作動機構部、３３
……ファン駆動機構部、３４……ファン、３５……形状記憶合金ばね、３６……バイアス
ばね、３７……作動板、３８……ガイドロッド、４３……駆動用ばね、４４……スライド
プレート、４５……マグネット、４６……ナット部、５０……ワンウェイクラッチ
【図１】
2012155920.tif 000003
【図２】
2012155920.tif 000004
【図３】
2012155920.tif 000005
【図４】
2012155920.tif 000006